(57)【要約】【課題】シャワー浴者の身体が露出して晒されてしまうことがなく、落ち着いてシャワー浴を行うことができるシャワー浴装置を提供する。【解決手段】浴者が着座する座部２２と、座部２２に着座した浴者の身体を覆う覆い部１と、座部２２に着座した浴者の身体に向けて湯水を噴出するシャワー装置５と、を備える。【選択図】図１
2013042947.tif 000002
【特許請求の範囲】
【請求項１】
浴者が着座する座部と、前記座部に着座した前記浴者の身体を覆う覆い部と、前記座部に着座した前記浴者の身体に向けて湯水を噴出するシャワー装置と、を備えて成ることを特徴とするシャワー浴装置。
【発明の詳細な説明】
【技術分野】
【０００１】
本発明は、シャワー浴装置に関するものである。
【背景技術】
【０００２】
従来より、着座姿勢で使用するシャワー浴装置が知られている（例えば特許文献１参照）。これは、座部とノズルアームとを備え、ノズルアームが備えるノズルから湯水を噴出させてシャワー浴を行うものである。
【先行技術文献】
【特許文献】
【０００３】
【特許文献１】特開２００６−２７１４４１号公報
【発明の概要】
【発明が解決しようとする課題】
【０００４】
しかしながら、特許文献１に示される従来のシャワー浴装置にあっては、シャワー浴者は身体が露出して晒されてしまい、落ち着いてシャワー浴を行うことが難しいものであった。
【０００５】
本発明は上記従来の問題点に鑑みて発明したものであって、その目的とするところは、シャワー浴者の身体が露出して晒されてしまうことがなく、落ち着いてシャワー浴を行うことができるシャワー浴装置を提供することを課題とするものである。
【課題を解決するための手段】
【０００６】
上記課題を解決するために、本発明は、以下のような構成とする。
【０００７】
浴者が着座する座部と、前記座部に着座した前記浴者の身体を覆う覆い部と、前記座部に着座した前記浴者の身体に向けて湯水を噴出するシャワー装置と、を備えて成ることを特徴とする。
【発明の効果】
【０００８】
本発明のシャワー浴装置は、シャワー浴者の身体が露出して晒されてしまうことがなく、落ち着いてシャワー浴を行うことができるものである。
【図面の簡単な説明】
【０００９】
【図１】本発明の一実施形態のシャワー浴装置を示し、（ａ）はシャワー浴者を含む概略側断面図であり、（ｂ）は平面図であり、（ｃ）は前方からみた正面図である。
【図２】同上において、乾式の温浴を行う場合を説明する側断面図である。
【図３】同上において、足浴を行う場合を説明する側断面図である。
【発明を実施するための形態】
【００１０】
以下、本発明を添付図面に示す実施形態に基いて説明する。
【００１１】
シャワー浴装置は、本実施形態では図１に示すように、上下を軸方向とする、平面視において略楕円筒状をした覆い部１を備えている。この覆い部１は、本実施形態では図１（ａ）（ｃ）に示すように、上端縁が平面視における長径方向（前後方向とする）に傾斜しているが、上端縁が水平になっていてもよい。覆い部１の下端の開口は底面部で閉塞されて、覆い部１は上方に開口するものである。この覆い部１は、シャワー浴者（以下、単に浴者という）が浴湯を張らない乾式の温浴を行う際に、浴者の全身を覆うためのものであり、内部に座部２２が形成されるための台座部２０が設けられる。
【００１２】
台座部２０は、図１（ｂ）に示すように、覆い部１の前後方向の上端縁が高い方（後方Ｂとする）の端部から上端縁が低い方（前方Ｆとする）の端部の手前（前後長さの前端から１／３あたり）にかけて、底面部から２０〜４０ｃｍ程度の高さを有するものである。そして、この台座部２０の上面が座部２２となり、前側面が、前方を向いて座部２２に着座した浴者のふくらはぎが位置するふくらはぎ部２３となる。また、覆い部１の後端部の台座部２０よりも上側に位置する内面が、着座した浴者の背中が位置する背もたれ部２１となり、底面部の前部の台座部２０が形成されていない部分の上面が、着座した浴者の足裏が位置する足裏部２４となる。
【００１３】
また、覆い部１の台座部２０よりも前側の部分と、ふくらはぎ部２３とで囲まれた空間は、図３に示すように、浴湯が張られる湯溜まり部となり、且つ、着座した浴者の足部（ふくらはぎ以下の部分）が収容される足浴部３となる。足浴部３は、覆い部１の上端縁が最も低くなった前端部がオーバーフロー部３１となり、オーバーフロー部３１は座部２２よりも下方に位置している。また、足浴部３に溜まっている湯を排出する排出口（不図示）が形成され、排出口には開閉自在な栓（不図示）が設けられる。
【００１４】
本実施形態のシャワー浴装置には、ヒータ４が設けられるもので、ヒータ４は、ＰＴＣヒータをはじめ様々なものが利用可能で、特に限定されない。このヒータ４は、背もたれ部２１内に設けられる背もたれ部ヒータ４１と、座部２２に設けられる座部ヒータ４２と、ふくらはぎ部２３内に設けられるふくらはぎ部ヒータ４３と、足裏部２４内に設けられる足裏部ヒータ４４とからなり、ヒータ４は表面には露出しない。これらヒータ４は、台座部２０内に備える電源部（不図示）に電気的に接続され、電源部から供給される電力で発熱を行い、電源部は商用電源等を電力供給源としている。
【００１５】
本実施形態のシャワー浴装置には、シャワー装置５が設けられる。シャワー装置５は、本実施形態では、給水管５１および給湯管５２と、湯水混合装置５３と、ポンプ５４と、切替弁５５と、ノズル５６と、これらを接続する配管と、を備えている。給水管５１は上流側が水道等に接続され、給湯管５２は上流側が給湯器等に接続され、それぞれ途中に開閉弁（不図示）や流量調整弁（不図示）が適宜設けられる。湯水混合装置５３は、給水管５１からの水と給湯管５２からの湯を混合して湯水を作るもので、マイクロコンピュータからなる制御部（不図示）を備え、該制御部が前記開閉弁や前記流量調整弁を制御して、所望の温度の湯を所望の量作成する。
【００１６】
ノズル５６は、ふくらはぎ部２３に設けられるふくらはぎ部ノズル５６２を備えるが、本実施形態ではさらに背もたれ部２１に設けられる背もたれ部ノズル５６１も備えており、ポンプ５４の駆動によりノズル５６から湯水を前方に向けて噴出する。また、切替弁５５により、背もたれ部ノズル５６１とふくらはぎ部ノズル５６２の任意の一方または両方から噴出させることができ、ポンプ５４と切替弁５５はマイクロコンピュータからなる制御部（不図示）により制御される。この制御部は、湯水混合装置５３の制御部と同じであってもよい。また、配管の途中にフィルター等を備えてもよい。
【００１７】
上記のようなシャワー浴装置にあっては、覆い部１に覆われるため、浴者は身体が露出せずにすみ、落ち着いて温浴を行うことができるものである。
【００１８】
また、図２に示すように、ふくらはぎ部ノズル５６２から湯水を噴出させて足浴部３に湯を張ることで、足浴を行うこともできる。
【００１９】
また、図３に示すように、浴者が服を着たまま座部２２に着座した状態で、任意の一つまたは複数のヒータ４を適宜使用して、乾式の温浴を行うことができる。
【００２０】
また、図１に示すように、覆い部１を平面視略楕円筒状に形成することで、入浴者が繭やゆりかごを想起して、優しく包まれる感じや、リラックス感が得られる、という視覚的な効果も得られるものである。
【符号の説明】
【００２１】
１    覆い部
２０  台座部
２１  背もたれ部
２２  座部
２３  ふくらはぎ部
２４  足裏部
３    足浴部
４    ヒータ
４１  背もたれ部ヒータ
４２  座部ヒータ
４３  ふくらはぎ部ヒータ
４４  足裏部ヒータ
５    シャワー装置
５１  給水管
５２  給湯管
５３  湯水混合装置
５４  ポンプ
５５  切替弁
５６  ノズル
５６１  背もたれ部ノズル
５６２  ふくらはぎ部ノズル
【図１】
2013042947.tif 000003
【図２】
2013042947.tif 000004
【図３】
2013042947.tif 000005